(57)【特許請求の範囲】
【請求項１】
エージングパターン信号を生成する擬似信号発生器と、
外部の調整設備から出力された表示装置を調整するための調整用画像信号を入力するビデオ入力部と、
前記調整設備から出力された制御信号を入力する制御信号入力部と、
前記表示装置に前記エージングパターン信号又は前記調整用画像信号を出力するビデオ出力部と、
前記表示装置を制御するための制御信号を出力する制御信号出力部と、
前記擬似信号発生器が生成する前記エージングパターン信号と前記ビデオ入力部が入力する前記調整用画像信号の何れかを前記ビデオ出力部に出力するビデオスイッチとを備えるコンベアパレットであって、
前記制御信号入力部は、前記調整設備がパレット吸着完了信号に基づいて生成する制御信号を入力し、
前記ビデオスイッチは、前記制御信号に基づいて前記ビデオ入力部側に切り換え、
前記擬似信号発生器は、前記制御信号に基づいて自己の駆動を停止することを特徴とするコンベアパレット。
【請求項２】
エージングパターン信号を生成する擬似信号発生器と、
外部の調整設備から出力された表示装置を調整するための調整用画像信号を入力するビデオ入力部と、
前記調整設備から出力された制御信号を入力する制御信号入力部と、前記表示装置に前記エージングパターン信号又は前記調整用画像信号を出力するビデオ出力部と、
前記表示装置を制御するための制御信号を出力する制御信号出力部と、
前記擬似信号発生器が生成する前記エージングパターン信号と前記ビデオ入力部が入力する前記調整用画像信号の何れかを前記ビデオ出力部に出力するビデオスイッチとを備えるコンベアパレットであって、
前記制御信号入力部は、前記調整設備がパレット吸着完了信号に基づいて生成する第１の制御信号と第２の制御信号を入力し、
前記ビデオスイッチは、前記第１の制御信号に基づいて前記ビデオ入力部側に切り換え、
前記擬似信号発生器は、前記第２の制御信号に基づいて自己の駆動を停止することを特徴とするコンベアパレット。
【請求項３】
請求項１に記載のコンベアパレットにおいて、
前記パレット吸着完了信号は、吸着パットの真空度が所定の値に達したときにエアーバルブセンサから出力される信号であることを特徴とするコンベアパレット。
【発明の詳細な説明】
【技術分野】
【０００１】
本発明は、コンベアパレットに係り、特に液晶等の表示装置の製造工程におけるエージングや表示画面の検査・調整を行う際に用いるコンベアパレットに関する。
【背景技術】
【０００２】
従来、この種の装置として、コンベアで搬送されるパレットにはディスプレイ装置とテストパターン信号発生部とが予めケーブルで接続されて載置されている。このディスプレイ装置とテストパターン信号発生部との接続作業は、例えばラインの先頭の作業者により行われる。このように接続作業を専任の作業者に行わせることにより、検査・調整を行う各作業者が個々に接続作業を行う場合より作業能率を向上させることができる。ディスプレイ装置とテストパターン信号発生部とがケーブルにより接続されて載置されたパレットが作業者の作業有効範囲内に送られて来ると、作業者は操作ボックスの操作スイッチを操作して、テストパターンを選択する。これによって赤外線発信部がテストパターン選択用赤外線信号をテストパターン信号発生部に送り、所定のテストパターン信号がケーブルを通じてディスプレイ装置に送られるものがある（例えば、特許文献１参照）。
【０００３】
また、第２の装置として、予めケーブルで接続された製品を載せて搬送に供される搬送台板であって、製品との信号授受を行う入出力部と制御部と記憶部及び外部入出力部とから構成される電子回路が組み込まれ、その外部入出力部は、電子回路とコンベア外に設置された装置との間で信号の授受を行うことができる（例えば、特許文献２参照）。
【０００４】
また、第３の装置として、テレビジョン受像器にビデオ信号処理回路とエージングパターンＡ信号発生回路と信号切換スイッチと工場モード記憶回路とマイクロプロセッサとを備え、工場モード記憶回路の記憶内容が工場モードであれば信号切換スイッチをエージングパターン信号発生回路側にしてエージングパターンを表示し、次に調整コマンドが入力されると信号切換スイッチをビデオ信号処理回路側にしてビデオ信号処理回路の出力をＣＲＴに供給する動作になる。この構成によりエージングをするために工場では全面白パターン信号を送信しなくてもよくなり、またエージングラインに入る時に特にコマンドを送らなくても自動的にエージングが行われるものがある（例えば、特許文献３参照）。
【特許文献１】特許2763421号公報（段落［００１８］〜［００１９］、図２）
【特許文献２】特開平6-182632号公報（図２）
【特許文献３】特許第3477899号公報（段落番号「００１３」、図１）
【発明の開示】
【発明が解決しようとする課題】
【０００５】
しかしながら、このような構成を有する従来例の場合には、次のような問題がある。
すなわち、従来の装置のうち第１の装置のパレットに載置されるテストパターン信号発生部は、種々のテストパターンを映し出すことができることから高価なものとなり、そのようなものを製造工程においては搬送するパレットの数だけ用意しなければならない。また作業領域に入って所望のテストパターンを映し出すときは人手で行わなければならないという問題がある。
【０００６】
また、第２の装置の台板は、内部に電子回路が組み込まれているが、製品をエージングするものでも製品の表示画面を検査・調整するものでもない。
【０００７】
また、第３の装置は、テレビジョン受像器内部にエージングパターン信号発生回路が組み込まれているのでテレビジョン受像器自体が高価になるという問題がある。    
【０００８】
本発明は、このような事情に鑑みてなされたものであって、表示装置の製造工程におけるエージング及び検査・調整を行う際の信号接続の煩わしさを解消するために、エージングパターン信号は内部に持ち、調整用画像信号は外部から供給を受けて、これら信号を必要に応じて切り換えて表示装置に出力できるコンベアパレットを提供することを目的としている。
【課題を解決するための手段】
【０００９】
本発明は、このような目的を達成するために、次のような構成をとる。
すなわち、請求項１に記載の発明は、エージングパターン信号を生成する擬似信号発生器と、外部の調整設備から出力された表示装置を調整するための調整用画像信号を入力するビデオ入力部と、前記調整設備から出力された制御信号を入力する制御信号入力部と、前記表示装置に前記エージングパターン信号又は前記調整用画像信号を出力するビデオ出力部と、前記表示装置を制御するための制御信号を出力する制御信号出力部と、前記擬似信号発生器が生成する前記エージングパターン信号と前記ビデオ入力部が入力する前記調整用画像信号の何れかを前記ビデオ出力部に出力するビデオスイッチとを備えるコンベアパレットであって、前記制御信号入力部は、前記調整設備がパレット吸着完了信号に基づいて生成する制御信号を入力し、前記ビデオスイッチは、前記制御信号に基づいて前記ビデオ入力部側に切り換え、前記擬似信号発生器は、前記制御信号に基づいて自己の駆動を停止することを特徴とするものである。
【００１０】
〔作用・効果〕請求項１に記載の発明によれば、ビデオスイッチは擬似信号発生器側に接続されている。調整設備がパレット吸着完了信号に基づいて生成する制御信号を制御信号入力部が入力したきは、ビデオスイッチはその制御信号に基づいてビデオ入力部側に切り換え、擬似信号発生器は制御信号に基づいて自己の駆動を停止する。
よって、コンベアパレットが表示装置を載せてコンベアに搬送されているときは、表示装置は疑似信号発生器が生成するエージングパターンが表示されてエージングが行われ、パレット吸着完了が出力されたきは、表示装置はビデオ入力部が入力する調整用信号発生器から調整用画像信号が表示されて調整設備から調整できる。また、擬似信号発生器は制御信号に基づいて自己の駆動を停止することから不要な消費電力を低減できる。
【００１１】
また、請求項２に記載の発明によれば、調整設備がパレット吸着完了信号に基づいて生成する第１の制御信号と第２の制御信号を入力し、ビデオスイッチは、第１の制御信号に基づいて前記ビデオ入力部側に切り換え、擬似信号発生器は、第２の制御信号に基づいて自己の駆動を停止する。
よって、コンベアパレットが表示装置を載せてコンベアに搬送されているときは、表示装置は疑似信号発生器が生成するエージングパターンが表示されてエージングが行われ、パレット吸着完了が出力されたきは、第１の制御信号により表示装置はビデオ入力部が入力する調整用信号発生器から調整用画像信号が表示されて調整設備から調整できる。また、擬似信号発生器は第２の制御信号に基づいて自己の駆動を停止することから不要な消費電力を低減できる。
【００１２】
また、請求項３に記載の発明によれば、パレット吸着完了信号は、吸着パットの真空度が所定の値に達したときにエアーバルブセンサから出力される信号であることが好ましい。
よって、時間が経過しても吸着パットの真空度が所定の値に達していないときは、真空パッドから空気が漏れていると判断され、調整設備はコンベアパレットとの自動信号接続を開始しないことから表示装置の落下を防ぐことできる。
【発明の効果】
【００１３】
本発明に係るコンベアパレットによれば、エージングパターン信号は内部に持ち、多様な種類を持つ必要のある調整用画像信号は外部の調整設備から供給を受けることから、搬送されているときはエージングパターン信号を出力し、パレット吸着完了信号が出力されたときは外部の調整設備からの調整用画像信号を出力することができる。よって、表示装置の製造工程におけるエージング及び検査・調整を行う際の信号接続の煩わしさを解消できると共にコンベアパレット自体が安価かつ表示装置の落下を防ぐことができるという効果を有する。
【発明を実施するための最良の形態】
【００１４】
図２は、本発明に係るコンベアパレットを示す図面である。
コンベアパレット１の筐体の上面１Ａには、ビデオ出力コネクタ２と通信制御コネクタ３及び電源コンセント４を備えており、製造ラインのコンベアＣに表示装置Ｍを載せて搬送される際、それぞれが表示装置Ｍに接続されたビデオ信号ケーブルのコネクタ、通信制御ケーブルのコネクタ及び電源ケーブルのプラグに接続されて搬送される。他方、筐体の下面１Ｂには外部の調整設備２０と接続する信号接続部５と外部の調整設備２０に具備された真空バッドに吸着される金属板６、６と、コンベアに配置された給電子と接触し電源電圧の供給を受ける集電子７とを備えている。
【００１５】
図１は、本発明に係るコンベアパレットの筐体内部に組み込まれている回路ブロック及び表示装置を調整・検査するための調整設備の回路ブロックを示す図面である。
コンベアパレット1には、疑似信号発生器８とビデオ信号入力部９とビデオスイッチ１０とビデオ信号出力部１１と制御信号入出力部１２、１３及び電源部１４とから構成され、疑似信号発生器８は、表示装置Ｍのエージングや焼き付きの検査を行うためにエージングパターン信号Ｖ１を生成する。このエージングパターン信号には、例えば、周辺部が黒パターン、周辺部以外は白パターンが好ましい。
【００１６】
ビデオ信号入力部９は調整設備２０が出力する調整用画像信号Ｖ２を入力する。
ビデオスイッチ１０は２入力1出力タイプのスイッチで、第1の入力端子が擬似信号発生器８に第２の入力端子がビデオ信号入力部９にそれぞれ接続され、出力端子がビデオ信号出力部１１に接続され、制御信号入力端子が制御信号入出力部１２に接続され、この制御信号入力端子に制御信号Ｓ２が入力されていない時は、擬似信号発生器８側の信号Ｖ１が選択出力されるように設定されている。
制御信号入出力部１２は主制御装置２７とは調整設備２０の自動信号接続装置２１の信号接続部２４-１を介して制御信号の授受を行うことができ、制御信号入力出力部１３は表示装置Ｍとは制御信号の授受ができる。また、制御信号入出力部１２、１３はお互いに制御信号の授受ができ、主制御装置２７から表示装置Ｍを調整できる。
【００１７】
設備装置２０には、自動信号接続装置２１と表示装置Ｍを調整するための調整用画像信号発生器２８と調整設備全体を制御する主制御装置２７と表示装置Ｍの画面を撮像するＣＣＤカメラ３０とそのカメラを制御するＣＣＤカメラ制御部２９とから構成される。
【００１８】
図３は、本発明に係るコンベアパレットが自動信号接続装置と接続する直前の状態を示す図面である。以下、図１と共に設備装置２０の細部を説明する。
コンベアＣの真下には、調整設備２０の一部である自動信号接続装置２１が配置されておりその自動信号接続装置２１は、先端に信号接続部２４-１を有する昇降シリンダ２４とその昇降シリンダ２４を挟んで両側に先端に吸着パッド２２-１、２３-１を有する昇降シリンダ２２、２３を具備する。さらにその吸着パッド２２-１、２３-１の内側中央部には吸引管（図示せず）が設けられ吸着パッド吸引部２２-２、２３-２と接続され、その吸着パッド吸引部２２-２、２３-２には例えばリミットスイッチからなるエアーバルブセンサ２５が取り付けられている。
【００１９】
このエアーバルブセンサ２５は、吸着パッド吸引部２２-２、２３-２がコンベアパレット１の下面１Ｂに設けられた金属面６、６の吸引を開始してから規定された所定の真空度に達すると信号Ｓ１が出力する。この信号Ｓ１をコンベアパレット吸着完了信号と呼び、自動信号接続装置２１の信号接続部２４-１が確実にコンベアパレット１の信号接続部５に接続するための事前の確認信号である。このコンベアパレット吸着完了信号を待たずに接続制御装置２６が昇降シリンダ２４を上昇させ、信号接続部５、２４-１間の接続を試みると、コンベアパレット１が押されて表示装置Ｍが落下する恐れがあるからである。
【００２０】
次に製造工程の動作説明を行う。
〔表示装置のエージング工程〕
コンベアパレット１がコンベアＣに搬送されているときは、ビデオスイッチ１０が擬似信号発生器８側を選択し、擬似信号発生器８が生成するエージングパターン信号Ｖ１がビデオ信号出力１１より表示装置Ｍに出力され、表示装置Ｍのエージングが行われる。
【００２１】
〔表示装置の調整工程〕
コンベアパレット１が所定のストッパにて調整場所に停止されると、調整設備２０の昇降シリンダ２２、２３が上昇し先端の吸着パッド２２-１、２３-１が金属面６、６に密着する。それに追従して吸着パッド吸引部２２-２、２３-２が作動し、吸着パッド２２-１、２３-１がコンベアパレット1の下面に具備された金属面６、６の吸着を開始する。
その金属面６、６に接した吸着パッド２２-１、２３-１の真空度が所定の値に達すると、エアーバルブセンサ２５はパレット吸着完了信号Ｓ１を接続制御部２６に出力する。
接続制御部２６はこの信号Ｓ１を検出すると昇降シリンダ２４を上昇させ、信号接続部２４-１をコンベアパレットの信号接続部５に接続させるとともに、このパレット吸着完了信号Ｓ1を主制御装置２７に送信する。
【００２２】
主制御装置２７はこのパレット吸着完了信号Ｓ１を受信すると調整用画像信号発生器２８に対し、所定の調整用画像信号Ｖ２を生成するよう制御するとともに、コンベアパレット１のビデオスイッチ１０を制御するための制御信号Ｓ２と擬似信号発生器８に供給される電源を遮断するための制御信号Ｓ３を生成し、制御信号入出部１２に出力する。
【００２３】
ビデオスイッチ１０は、制御信号入力出力部１２を介して制御信号Ｓ２を受信するとビデオ信号入力部９側を選択出力し、ビデオ信号入力部９を介して調整用画像信号発生器２８が生成する調整用画像信号Ｖ２を表示装置Ｍに出力する。表示装置Ｍは、この信号Ｖ２をもとに主制御装置２７の制御のもと調整される。  
表示装置Ｍの調整が完了すると、主制御装置２７は制御信号Ｓ２、Ｓ３が出力されなくなり、ビデオスイッチ１０は擬似信号発生器８側に切り換えられ、擬似信号発生器８は電源電圧の供給を受けて再び活性化する。また、昇降シリンダ２２〜２４は下降し、自動信号接続装置２０はコンベアパレット１から離れていく。
【００２４】
なお、主制御装置２７が生成する制御信号Ｓ２、Ｓ３は一つの制御信号でもって擬似信号発生器８及びビデオスイッチ１０を制御してもよい。
【図面の簡単な説明】
【００２５】
【図１】本発明に係るコンベアパレットの筐体内部に組み込まれている回路ブロック及び表示装置を調整・検査するための調整設備の回路ブロックを示す図面である。
【図２】本発明に係るコンベアパレットを示す図面である。
【図３】本発明に係るコンベアパレットが自動信号接続器と接続する直前の状態を示す図面である。
【符号の説明】
【００２６】
１  …  コンベアパレット
５  …  信号接続部  
８  …  擬似信号発生器
９  …  ビデオ信号入力部
１０  …  ビデオスイッチ
１１  …  ビデオ信号出力部
１２、１３  …  制御信号入出力部
２０  …  調整設備
２１  …  自動信号接続装置
２２、２３  …  昇降シリンダ
２２-２、２３-２  …  吸着パッド吸引部
２４  …  昇降シリンダ
２４-１  …  信号接続部
２５  …  エアーバルブセンサ
２７  …  主制御装置
２８  …  調整用画像信号発生器
Ｖ１  …  エージングパターン信号
Ｖ２  …  調整用画像信号
Ｓ１  …  パレット吸着完了信号
Ｓ２、Ｓ３  …  制御信号
Ｃ  …  コンベア
Ｍ  …  表示装置
【図１】
0004775860.tif 000002
【図２】
0004775860.tif 000003
【図３】
0004775860.tif 000004